(57)【要約】【課題】ゴルフクラブヘッドの性能を高めることを可能にする技術を提供する。【解決手段】ウッドタイプのゴルフクラブヘッドは、本体と、本体と結合する打撃壁であって、面中心と打撃面外周とを含み、かつ、仮想打撃平面と共面関係にある打撃面を画定する打撃壁と、を備える。面中心を通過し、仮想打撃平面に対し鉛直である仮想平面において、打撃面は、仮想平面の詳細では、面長さＬを有し、打撃壁は、仮想平面の詳細では、最小厚みｔminと、最大厚みｔmaxと、０．９２*ｔmax以上の厚みにそれぞれ対応する打撃面の各位置の軌跡である第一の厚み領域と、を有する。比率ｔmax／ｔminは１．７０以上である。第一の厚み領域は、０．１３*Ｌ以下である最大距離Ｄ1だけ面中心から外側に伸長している。【選択図】図５Ｃ
2014144347.tif 000002
【特許請求の範囲】
【請求項１】
本体と、
前記本体と結合する打撃壁であって、面中心と打撃面外周とを含み、かつ、仮想打撃平面と共面関係にある打撃面を画定する打撃壁と、を備え、
前記面中心を通過し、前記仮想打撃平面に対し鉛直である仮想平面において、
前記打撃面は、前記仮想平面の詳細では、面長さＬを有し、
前記打撃壁は、前記仮想平面の詳細では、最小厚みｔminと、最大厚みｔmaxと、０．９２*ｔmax以上の厚みにそれぞれ対応する前記打撃面の各位置の軌跡である第一の厚み領域と、を有し、
比率ｔmax／ｔminは１．７０以上であり、
前記第一の厚み領域は、０．１３*Ｌ以下である最大距離Ｄ1だけ前記面中心から外側に伸長している、
ウッドタイプのゴルフクラブヘッド。
【請求項２】
前記比率ｔmax／ｔminは１．７５以上である、
請求項１に記載のゴルフクラブヘッド。
【請求項３】
前記比率ｔmax／ｔminは２，２０以下である、
請求項１に記載のゴルフクラブヘッド。
【請求項４】
前記最大厚みｔmaxは、６．４ｍｍ以下の距離だけ前記面中心から離間した前記打撃面上の点において発現する、
請求項１に記載のゴルフクラブヘッド。
【請求項５】
前記ゴルフクラブヘッドを基準位置に配置したときに、前記仮想平面と前記仮想打撃平面との交差部位が水平線を形成する、
請求項１に記載のゴルフクラブヘッド。
【請求項６】
前記ゴルフクラブヘッドを基準位置に配置したときに、前記仮想平面が垂直である、
請求項１に記載のゴルフクラブヘッド。
【請求項７】
前記面中心で測定した第一の反発係数の値は０．８３以上であり、
前記面中心から離間した位置で測定した第二の反発係数の値は前記第一の反発係数の値よりも大きい、
請求項１に記載のゴルフクラブヘッド。
【請求項８】
前記打撃面は、更に、前記最大厚みｔmaxに対応する第一の点と、前記最小厚みｔminに対応する第二の点と、を含み、
前記打撃壁は、前記第一の点から前記第二の点に向かってその厚みが全体的に徐々に薄くなる、
請求項１に記載のゴルフクラブヘッド。
【請求項９】
前記打撃壁は、更に、０．８７*ｔmax以上の厚みにそれぞれ対応する前記打撃面上の各位置の軌跡である第二の厚み領域を含み、
前記第二の厚み領域は、０．１３*Ｌ以下である最大距離Ｄ2だけ面中心から外側に伸長している、
請求項１に記載のゴルフクラブヘッド。
【請求項１０】
前記仮想平面において、
前記打撃壁は、更に、０．８０*ｔmax以上の厚みにそれぞれ対応する前記打撃面上の各位置の軌跡である第三の厚み領域を含み、
前記第三の厚み領域は０．２６*Ｌ以下である最大距離Ｄ3だけ面中心から外側に伸長している、
請求項１に記載のゴルフクラブヘッド。
【請求項１１】
前記最大厚みｔmaxは４．２５ｍｍ以上である、
請求項１に記載のゴルフクラブヘッド。
【請求項１２】
前記最大厚みｔmaxは４．３０ｍｍから４．６０ｍｍの間である、
請求項１１に記載のゴルフクラブヘッド。
【請求項１３】
前記最小厚みｔminは２．７５ｍｍ以下である、
請求項１に記載のゴルフクラブヘッド。
【請求項１４】
前記打撃面は、前記最小厚みｔminに対応する点であって、前記打撃面外周から離間した点を更に有する、
請求項１に記載のゴルフクラブヘッド。
【請求項１５】
少なくとも前記本体の一部は、少なくとも１０％の伸び率を有する材料で形成される、
請求項１に記載のゴルフクラブヘッド。
【請求項１６】
本体と、
前記本体と結合する打撃壁であって、面中心と打撃面外周とを含み、かつ、仮想打撃平面と共面関係にある打撃面を画定する打撃壁と、を備え、
前記面中心を通過し、前記仮想打撃平面に対し鉛直である仮想平面において、
前記打撃面は面長さＬを有し、
前記打撃壁は、前記面中心に対応しかつ４．２５ｍｍ以上である第一の厚みｔfcと、前記面中心から０．１６*Ｌ以下である位置に存する前記打撃面上の点に対応しかつ０．９０*ｔfc以下である第二の厚みと、を有する、
ウッドタイプのゴルフクラブヘッド。
【請求項１７】
前記仮想平面についての詳細では、前記打撃壁は、比率ｔmax／ｔminが１．７５以上となる最大厚みｔmaxと最小厚みｔminとを有する、
請求項１６に記載のゴルフクラブヘッド。
【請求項１８】
比率ｔmax／ｔminは１．８０以上である、
請求項１７に記載のゴルフクラブヘッド。
【請求項１９】
最大厚みｔmaxはｔfcに相当する、
請求項１７に記載のゴルフクラブヘッド。
【請求項２０】
前記面中心で測定した第一の反発係数の値は０．８３以上であり、
前記面中心から離間した打撃面の位置で測定した第二の反発係数の値は前記第一の反発係数の値よりも大きい、
請求項１６に記載のゴルフクラブヘッド。
【請求項２１】
前記仮想平面において、前記打撃壁の厚みが前記面中心から前記打撃面外周に向かって全体的に徐々に薄くなる、
請求項１６に記載のゴルフクラブヘッド。
【請求項２２】
最小厚みｔminは２．５０ｍｍ以下である、
請求項１６に記載のゴルフクラブヘッド。
【請求項２３】
本体と、
前記本体と結合する打撃壁であって、仮想打撃平面と共面関係にあり、かつ、面中心と面中心から離間した点とを有する打撃面を画定する打撃壁と、を備え、
前記面中心で測定した第一の反発係数の値は０．８３以上であり、
前記面中心から離間した位置で測定した第二の反発係数の値は前記第一の反発係数の値よりも大きく、
前記点に対応する打撃壁の厚みは４．０ｍｍ以下である、
ゴルフクラブヘッド。
【請求項２４】
前記点は、前記面中心からヒール方向に位置する、
請求項２３に記載のゴルフクラブヘッド。
【請求項２５】
前記第二の反発係数の値は前記第一の反発係数の値よりも０．００４以上大きい、
請求項２３に記載のゴルフクラブヘッド。
【請求項２６】
前記点は、１２．７ｍｍ以下の距離だけ前記面中心から離間している、
請求項２３に記載のゴルフクラブヘッド。
【請求項２７】
前記第一の反発係数の値は０．８２５以上である、
請求項２３に記載のゴルフクラブヘッド。
【請求項２８】
少なくとも前記本体の一部は、少なくとも１０％の伸び率を有する材料で形成される、
請求項２３に記載のゴルフクラブヘッド。
【請求項２９】
本体と、
前記本体と結合する打撃壁であって、面中心と該面中心に接する第一の仮想平面とを含む打撃面、及び該打撃面に対向する後面を有する打撃壁と、を備え、
前記第一の仮想平面に対して鉛直でありかつ前記面中心を通過する第二の仮想平面において、
前記打撃面は、前記第二の仮想平面の詳細では、前記打撃壁の最大厚みｔmaxに対応する第一の点と、前記打撃壁の最小厚みｔminに対応する第二の点と、を有し、これら厚みの比率ｔmax／ｔminは１．７０以上であり、
前記打撃壁は、第一の点から第二の点に向かってその厚みが全体的に徐々に薄くなる、
ウッドタイプのゴルフクラブヘッド。
【請求項３０】
前記第一の点は、６．３５ｍｍ以下の距離だけ面中心から離間している、
請求項２９に記載のゴルフクラブヘッド。
【請求項３１】
前記第一の点は、前記面中心に一致している、
請求項２９に記載のゴルフクラブヘッド。
【請求項３２】
少なくとも前記本体の一部は、少なくとも１０％の伸び率を有する材料で形成される、
請求項２９に記載のゴルフクラブヘッド。
【請求項３３】
比率ｔmax／ｔminは１．７５以上であることを特徴とする請求項２９に記載のゴルフクラブヘッド。
【請求項３４】
前記ゴルフクラブヘッドを基準位置に配置したときに、前記第一の仮想平面と前記第二の仮想平面との交差部位が水平線を形成する、
請求項２９に記載のゴルフクラブヘッド。
【請求項３５】
前記最大厚みｔmaxは４．２５ｍｍ以上である、
請求項２９に記載のゴルフクラブヘッド。
【請求項３６】
前記最小厚みｔminは２．７５ｍｍ以下である、
請求項２９に記載のゴルフクラブヘッド。
【発明の詳細な説明】
【技術分野】
【０００１】
本発明は概してゴルフクラブに関し、より詳細には非均一な厚みを有する独自構成の打撃壁を含むゴルフクラブヘッドに関する。
【背景技術】
【０００２】
幾つかの従来型クラブヘッド（例えば、ドライバー及びフェアウエイウッド）は、通常スチール、アルミ又はチタンのような金属で構成される中空シェルを有する。これら中空シェルは、ゴルフボールを打つ打撃面を画定する薄い打撃壁を含む比較的薄い壁を有する。
【先行技術文献】
【特許文献】
【０００３】
【特許文献１】特開２０１２−１３９４１０号公報
【発明の概要】
【発明が解決しようとする課題】
【０００４】
中空タイプの金属製ゴルフクラブヘッドを使用することで、平均的なゴルファーにとってゴルフゲームが容易になる。これは、中空タイプの金属製ゴルフクラブヘッドでは、クラブヘッドのより高い慣性モーメントと反発係数（ＣＯＲ）の達成が可能となるためである。例えば、中空タイプの金属製クラブヘッドのサイズを大きくすると、結果的にクラブヘッドの慣性モーメントが高くなる。この高い慣性モーメントは、ゴルフボールを打つ際の中心を外した打撃に起因するヘッドの捻じれを緩和することで、衝突を介してもゴルフクラブの安定性の維持に対し支援的なものとなる。加えて、中空タイプの金属製クラブヘッドを使用することで、ゴルフボールのインパクト中に偏向するよう打撃壁を構成する能力が増加し、その結果として打撃壁の高反発係数（ＣＯＲ）化が可能となる。
【０００５】
ゴルフクラブの設計者は、打撃壁の厚みを更に変化させてゴルフクラブヘッドの性能限界を追及している。これらの方針に沿って、ゴルフクラブヘッドの設計に際して、ゴルフクラブヘッドの打撃壁に沿う選定位置の厚みを減少させることでゴルフクラブヘッドの性能を高め得るもので、其の他の事項では、最大反発係数（ＣＯＲ）を増加させること、また任意の質量を増加させることで性能増大を達成させることは、当業者にとって一般的に認知されている。にもかかわらず、性能を改善する為の従来の打撃壁構成方法では、打撃壁でのストレス分布上の非均一厚みの効果を斟酌することを怠っている。特に、非均一な厚みをもつ打撃面、つまり壁部位が変化するように厚みが非均一となっている打撃壁は、破断影響を受けやすい高ストレス領域を生成する傾向又は不十分に緩和する傾向がある。
【０００６】
本発明は、一側面では、このような点を考慮してなされたものであり、ゴルフクラブヘッドの性能を高めることを可能にする技術を提供することを目的とする。
【課題を解決するための手段】
【０００７】
本発明に従って、本発明を例証する為に、ウッドタイプのゴルフクラブヘッドに関連して下記の実施例が論じられる。しかしながら、これらの原理は、ハイブリッドタイプのゴルフクラブヘッド等を含むその他のゴルフクラブヘッドに適用されてもよい。
【０００８】
発明の実施例に係るウッドタイプのゴルフクラブヘッドは、本体と、その本体に結合する打撃壁を含む。打撃壁は、面中心と打撃面外周とを含む打撃面を画定する。打撃面は、実質的に仮想打撃平面と共面関係にある。面中心を通過し、仮想打撃平面に対して鉛直である仮想平面において、打撃面は面長さＬを有し、打撃壁は最小厚みｔminと、最大厚みｔmaxとを有する。第一の厚み領域は０．９２*ｔmax以上の厚みに対応する打撃面の各位置の軌跡である。比率ｔmax／ｔminは１．７０以上である。第一の厚み領域は、０．１３*Ｌ以下の最大距離Ｄ1だけ面中心から外側に伸長している。
【０００９】
本発明の他の実施例では、ウッドタイプのゴルフクラブヘッドは、本体と、その本体と結合する打撃壁を有してよい。打撃壁は、面中心と打撃面外周とを含む打撃面を画定する。打撃面は、実質的に仮想打撃平面と共面関係にある。面中心を通過し、仮想打撃平面に対して鉛直である仮想平面において、打撃面は面長さＬを有し、打撃壁は、面中心に対応しかつ４．２５ｍｍ以上である第一の厚みｔfcを有する。第二の厚みは、面中心から０．１６*Ｌ以下の位置に存する打撃面上の点に対応しかつ０．９０*ｔfc以下である。
【００１０】
本発明の他の実施例では、ウッドタイプのゴルフクラブヘッドは、本体と、その本体に結合する打撃壁を含んでよい。打撃壁は、面中心と面中心から離間した点とを有する打撃面を画定する。打撃面は全体的に仮想打撃平面と共面関係にある。面中心で測定した第一の反発係数（ＣＯＲ）の値は０．８３以上であり、面中心から離間した点で測定した第二の反発係数（ＣＯＲ）の値は第一の反発係数（ＣＯＲ）の値よりも大きい。前記点に対応する打撃壁の厚みは４．０ｍｍ以下である。
【００１１】
本発明の他の実施例では、ウッドタイプのゴルフクラブヘッドは、本体と、本体に結合する打撃壁と、を含む。打撃壁は、面中心と面中心接する第一の仮想平面とを含む打撃面と、打撃面に対向する後面と、を有する。第一の仮想平面に対して鉛直でありかつ面中心を通過する第二の仮想平面において、打撃面は、第二の仮想平面の詳細では、打撃壁の最大厚みｔmaxに対応する第一の点と、打撃壁の最小厚みｔminに対応する第二の点とを有し、これら厚みの比率ｔmax／ｔminは１．７０以上である。打撃壁は、第一の点から第二の点に向かってその厚みが全体的に徐々に薄くなる。
【００１２】
本発明の他の実施例では、打撃壁は、中央部位と周辺部位とを含んでもよい。中央部位は、面中心を含み、最小反発係数（ＣＯＲ）点を有する。また、周辺部位は、中央部位を包囲し、最大反発係数（ＣＯＲ）点を有する。打撃壁は下記の要件を満たすような形状を有する。すなわち、最小反発係数（ＣＯＲ）点での衝突に相当するＣＯＲと比して最大反発係数（ＣＯＲ）点での打撃面とゴルフボールとの衝突に相当する打撃壁のＣＯＲ値間の偏差が、約０．００４以上であるような形状を有する。加えて、最小ＣＯＲ点での衝突に相当する反発係数（ＣＯＲ）は約０．８２５以上でなくてもよい。更に、打撃壁は、最小ＣＯＲ点での衝突に相当する反発係数（ＣＯＲ）で除算した最大ＣＯＲ点での衝突に相当するＣＯＲと等しいＣＯＲ率を有してもよく、その復元率は約１．００６から約１．００８の範囲である。更には、中央部位は、面中心を通過する軸であって、該面中心での打撃面に接する仮想打撃平面に対し概ね鉛直な軸から放射状に約０．２５インチ以下の距離分だけ伸長してもよい。最小ＣＯＲ点はまた面中心であってもよい。上記実施例の其々において、少なくとも本体の一部は、少なくとも１０％の伸び率を有する材料で形成されてもよい。
【発明の効果】
【００１３】
上述の各種代表的態様は個別に又は各種組み合わせて実施可能である。各種の態様における、また一以上の各種実施例で実証される本発明に係るゴルフクラブヘッドのこれら特徴と利点及びその他の特徴と利点は、後続の記載、添付の図面及び請求項を斟酌すれば明瞭となる。上記各発明によれば、ゴルフクラブヘッドの性能を高めることが可能である。
【図面の簡単な説明】
【００１４】
【図１】図１は、本発明の一以上の態様に係るゴルフクラブヘッドの正面図である。
【図２】図２は、図１に類似する正面図であり、さらにゴルフクラブヘッドの打撃面に重畳される測定テンプレートを示す。
【図３】図３は、図１で例示されるゴルフクラブヘッドのヒール側の正面図である。
【図４】図４は、図３の平面４−４に沿う断面図であり、図１におけるゴルフクラブヘッドの断面図である。
【図５Ａ】図５Ａは、図３の平面５−５に沿う部分断面図であり、図１におけるゴルフクラブヘッドの断面図である。
【図５Ｂ】図５Ｂは、図３の平面５−５に沿う部分断面図であり、図１におけるゴルフクラブヘッドの断面図である。
【図５Ｃ】図５Ｃは、図３の平面５−５に沿う部分断面図であり、図１におけるゴルフクラブヘッドの断面図である。
【図６Ａ】図６Ａは、図１の平面６−６に沿う断面図であり、図１におけるゴルフクラブヘッドの横断図である。
【図６Ｂ】図６Ｂは、図１の平面６−６に沿う部分断面図であり、図１におけるゴルフクラブヘッドの断面図である。
【図６Ｃ】図６Ｃは、図１の平面６−６に沿う部分断面図であり、図１におけるゴルフクラブヘッドの断面図である。
【図７】図７は、図３の平面５−５に沿う部分断面図であり、図１におけるゴルフクラブヘッドの他の実施の形態の断面図である。
【発明を実施するための形態】
【００１５】
本実施形態における各図面は例証目的のみの為のものであり、いかなる方法のうえからも本発明の範囲を限定することを意図しない。代表的な各実施例を添付の図面を参照して記述する。
【００１６】
本実施形態で例示する図面は、各図面で示される全く同一の構成に本発明を限定する目的ではなく、本発明の様々な対応を示す目的で参照される。図１から図６Ｃは、本発明に従って構成されたゴルフクラブヘッド１０を示す。本発明の一以上の態様では、図１から図６Ｃの実施例で示されるように、ゴルフクラブヘッド１０は、ドライバー又はフェアウエイウッドのようなウッドタイプのゴルフクラブ用のヘッドである。しかしながら、上述したように、下記の詳細な記載で示される本発明の原理は複合型ヘッド等を含むその他のタイプのゴルフクラブヘッドに適用可能であることを当業者であれば理解することができる。
【００１７】
ゴルフクラブヘッド１０は本体１２を含む。図１から図３で示される全体像では、本体１２は、トップ部１４と、概してトップ部１４に対向して配置される底部１６と、を含んでいる。また、本体１２は、ヒール部１８と、概してヒール部１８に対向して配置されるトウ部２０と、前部２２と、概して前部２２に対向して配置される後部２４と、を含む。更に、本体１２はホーゼル２６を含む。ホーゼル２６は、図１から図３で図示されているように、概して前部２２近接のトップ部１４のヒール側に位置する。ホーゼル２６は、シャフト２９の挿入部であって、図１及び図２に示すような部分が挿入されるようになっている。他の実施の形態では、クラブヘッド１０は、"ホーゼル無し"タイプのヘッドであり、例えば、クラブヘッド１０のトップ部１４に位置する凹部にシャフトが結合するように構成される。また、ホーゼル２６は、図１に示すように中心軸又は中心線２８を画定している。
【００１８】
ゴルフクラブヘッド１０は、更に、本体１２に結合する打撃壁３０を備える。幾つかの実施の形態では、打撃壁３０は、本体１２と一体的（一元的）に接合している。しかしながら、幾つかの実施の形態では、好ましくは、打撃壁３０は個別要素を備えており、その個別要素は、本体１２のトップ部１４、底部１６、ヒール部１８及びトウ部２０とそれ自体が一体的に接続する周辺支持面と結合している。ゴルフクラブヘッド１０のどの実施の形態でも、打撃壁３０が個別要素として形成されており、本体１２のトップ部１４、底部１６、ヒール部１８及びトウ部２０に対するそのアタッチメント又は上記周辺支持面は、例えば、機械的嵌合（圧着又は拡着）、融着、蝋付け、又は接着結合により容易に形成し得る。
【００１９】
本体１２及び／又は打撃壁３０は、金属材料及び／又は非金属材料で構成されてよく、これら材料は、例えば、ステンレススチール、チタン、又はファイバ強化プラスチックである。好ましくは、本体１２及び打撃壁３０はそれぞれチタン又はチタン合金で構成される。より好ましくは、打撃壁３０は、基本的には、例えばチタン８−１−１、チタン３−１−１等の低粘性のチタン合金から構成され、本体１２は、基本的にはチタン６−４から構成される。しかしながら、他の実施の形態では、本体１２は、異なる組成を有する複数の個別部分から構成される。例えば、いくつかの実施の形態では、本体１２の底部１６は、例えばチタン６−４等の金属材料で構成され、トップ部１４はファイバ強化ポリマー又はその他の複合材料で構成される。このような構成では、利点として、クラブヘッド１０の重心高さが減少される。もしくは、クラブヘッド１０の重心のより良い位置（クラブヘッド１０の前面上に投影されているように）が得られ、高い反発係数（ＣＯＲ）を有する前面部位の総面積を増加させる。しかしながら、複合材料でトップ部１４を形成することは、製造コストを上昇させ得ること及び／又はクラブヘッド１０に対し不利な音響発散性又は振動発散性を持たせることとなる。
【００２０】
いくつかの実施の形態では、本体１２は少なくとも部分的に鋳物である。本体１２を鋳込み成形で造りこむことで、（特に前部２２に近接の）内部リブは鋳込されて中央部位近接の前部２２を強化し、かくして反発係数（ＣＯＲ）の高い部位を増加させ得るものであり、他方インパクトの際に高いストレスを受けると予想される部位に対してはそのストレスが軽減される。具体的には、いくつかの実施の形態では、そのような内部リブは、前部２２とトップ部１４との接合部に位置し、ブリッジとして作用する。しかしながら、鋳込み成形は比較的費用のかかる製造工程である。従って、より好ましくは、少なくとも本体１２の一部は圧縮成形（又は他の鍛造成形）により形成される。
【００２１】
上述のように、好ましくは、少なくともクラブヘッド１０の一部は鍛造成形、特に圧縮成形により形成される。好ましくは、少なくとも底部１６（例えば、ソール部）は圧縮成形される。最も好ましいものとしては、底部１６及びトップ部２０は圧縮成形され、続いて融着により相互に結合される。圧縮成形を容易にするため（又は、曲げ加工、加圧成形若しくは他の類似成形加工、好適な鍛造技術）、底部１６（及び選択的にトップ部２０）は１０％以上の伸び率を有する材料で成形される。
【００２２】
なお、ここでは、"以上（greater than or equal to）"及び"以上(not less than)"は相互交換的に使用され得る。同様に、"以下(less than or equal to)"及び"以下(not greater than)"も相互交換的に使用され得る。
【００２３】
ゴルフクラブヘッド１０は、好ましくは１２０ｃｃ以上、より好ましくは３２０ｃｃ以上、更に好ましくは４００ｃｃ以上、最も好ましくは約４１０ｃｃから４７０ｃｃ間での範囲の体積を有する。クラブヘッド１０は、好ましくは２２度以下、より好ましくは１５度以下、最も好ましくは約９度から約１４度の範囲内のロフト角を有する。また、クラブヘッドは約５８度から６２度の範囲内のライ角度を有する。
【００２４】
ゴルフクラブヘッド１０は外形部分の形状画定を施すもので、全体的には、平面的であり、ゴルフボールの打撃に好適な打撃面３２と、対向する後部面３４（図５Ａを参照）と、を画定している。打撃面３２は、一般的には、平面と言われているが、発明の一以上の態様において、ウッドタイプのクラブに対して慣習的となっている定常半径又は可変半径（例えば、約９インチから約１５インチの範囲内の半径）の隆起部及び／又はロール部を有してもよいことは当業者であれば理解することができる。また、打撃面３２は、従来型のアイアンタイプのゴルフクラブのように基本的に平坦であって良い。
【００２５】
図１及び３では、ゴルフクラブヘッド１０は"基準位置"にあるものとして描かれている。ここでは、"基準位置"はクラブヘッド、例えば、クラブヘッド１０の位置を意味し、クラブヘッド１０の底部１６は仮想地上面３６に載置され、ホーゼル中心線２８は仮想垂直ホーゼル平面３８に置かれている。ここで、仮想垂直ホーゼル平面３８は、全体的に打撃面３２に対し平行する仮想水平線３８a（図３に示す）を含んでいる。特段に記載されない限り、ここにおける全てのパラメーター（変数）は基準位置のゴルフクラブヘッド１０について特定される。
【００２６】
打撃面３２は、面中心４０と打撃面外周４２とを画定する。また、打撃面３２は中心頂点４４を画定する。中心頂点４４は、第一の垂直仮想平面４６（図１の横断面と一致する）と打撃面外周４２との交点を意味する。ここで、垂直仮想平面４６は、仮想垂直ホーゼル平面３８に対し鉛直であり、面中心４０を通過している。また、打撃面外周４２は（基準位置でのゴルフクラブヘッド１０についての）トップ部１４に近接している。そして、中心頂点４４は、打撃面外周４２上の一点を形成する。
【００２７】
更に、打撃面３２はトウ点４８を画定する。"トウ点"、例えば、トウ点４８は、ここでは、トウ部２０に近接する打撃面３２の横方向最端突出点である。中心頂点４４と同様に、トウ点４８は、打撃面外周４２上の一点を形成する。トウ点４８を通過する仮想水平面５２は、ホーゼル中心線２８と点５４で交叉する。本体１２の残部からの上記ホーゼル２６の境界は、ホーゼル中心線２８と垂直であり点５４を包含する仮想平面５６により確定される。
【００２８】
面中心４０は、ここでは、図２に示されるテンプレート５７を使用して位置決めされる。テンプレート５７は、上下軸６０に直交するヒール・トウ軸５８についての座標系を有する。開口部６２は座標系の始点に配置され、各軸５８、６０は等間隔に増分するよう目盛り付けされている。テンプレート５７は、柔軟材料、例えば、透明ポリマーで形成され得る。面中心４０の位置は、テンプレート５７を打撃面３２に最初に適用することで決定されるもので、この時、開口部６２は打撃面３２のほぼ中央部に在り、ヒール・トウ軸５８は一般的に水平である。そして、テンプレート５７は打撃面３２に沿うヒール・トウ方向に平行移動される。この移動は、ヒール・トウ軸５８に沿うヒールとトウの測定値であって、ヒール部１８とトウ部２０の其々に近接する打撃面３２の打撃面外周４２上の対向点における測定値であり、これら測定値が同一の絶対値を有するまで実施される。テンプレート５７が打撃面３２についてヒール・トウ方向で中央に位置決めされると、テンプレート５７は打撃面３２に沿うトップ・ボトム方向に平行移動される。この移動は、トップ部１４及び底部１６それぞれに近接する、打撃面３２の打撃面外周４２上の対向点での軸６０に沿う測定値が同一の絶対値を有するまで実施される。上記のシークエンスは、軸５８に沿うヒール測定の絶対値がトウ測定の絶対値と等しくなるまで、また軸６０に沿う底部測定の絶対値がトップ測定の絶対値と等しくなるまで繰り返される。開口部６２を介して打撃面３２上に点を記すことで面中心４０を指定する。テンプレート５７のような位置決めテンプレートは、ゴルフクラブヘッドの柔軟性を測定するための米国ゴルフ協会の手続き書（改訂版２．０、２００５年３月２５日）に参考文献として記載されているとおり、米国ゴルフ協会から入手可能である。
【００２９】
図３で最良に図示されるように、ゴルフクラブヘッド１０の打撃壁３０で画定される打撃面３２は、仮想打撃平面６４と実質的に共面関係にある（同一平面内にある）。隆起部及び／又はロール部（さもなければ、全体的に平面）を打撃面３２が含む場合、図３に示す手法によれば、仮想打撃平面６４は、面中心４０に接触する平面に相当する。第二の仮想平面６６は、仮想打撃平面６４に対して垂直な関係にあり、面中心４０を通過している。第二の仮想平面６６と仮想打撃平面６４との交差部位は、面中心４０を通過する水平線６７を形成している。第二の仮想平面６６は図３の横断面と共面関係にある。
【００３０】
図４を参照すると、ゴルフクラブヘッド１０の一部は横断面４−４に示されており、ここで横断面４−４（及び、翻って、仮想打撃平面６４）は図面上の平面と平行している。この図４に示される破線７４は、同一の厚さを有する打撃壁３０上の点に対応している。つまり、破線７４は、一般的には打撃壁３０の厚さ分布を示す。図示のように、打撃壁３０の後面３４は、打撃壁３０の厚さが仮想打撃平面６４に垂直な軸に向かって全体的に増加し、且つ面中心４０を通過して盛り上がり形状を形成する様に、面３４の輪郭が形成される。上述のように、打撃壁３０は、後面３４に対向し、打撃面外周４２により範囲画定される打撃面３２を含む。また、第一の点１０４は、打撃面３２上において、最大総体打撃壁厚みtmaxに対応付けられた位置に相当する。第二の点１０２は、打撃面３２上において、打撃壁３０の最小総体打撃壁厚みtminに対応付けられた位置に相当する。
【００３１】
幾つかの実施の形態では、最小総体打撃壁厚みtminは、単一点、すなわち第二の点１０２のみに発現する、及び／又は、最大総体打撃壁厚みtmaxは、単一点、すなわち第一の点１０４のみに発現する。しかしながら、その他の形態として、幾つかの実施の形態では、離散点のそれぞれが同一の最大総体打撃壁厚みtmaxに対応している。同様に、幾つかの実施の形態では、離散点のそれぞれが同一の最小総体打撃壁厚みtminに対応している。
【００３２】
幾つかの実施の形態では、図示のように、第一の点１０４は面中心４０と一致する。しかし、他の実施の形態では、第一の点１０４は距離ｄ1（図示せず）だけ面中心４０から離間している。第一の点１０４は、好ましくは６．４ｍｍ以下の距離だけ、より好ましくは６．３５ｍｍ以下の距離だけ面中心４０から離間している。最も好ましくは、距離ｄ1は１ｍｍから６．３５ｍｍの範囲内である。幾つかの場合では、上記の要領で最大厚みＴmaxの位置を面中心４０から離間させることで、最大厚みＴmaxの位置の衝撃点（すなわち、ゴルフボールの衝撃に対する最大偏向点）の偏心の中心とのより近似した位置合わせが可能となる。これにより、比較的高い反発係数（ＣＯＲ）の広い打撃面領域を生成するうえで質量をより効果的に利用することとなる。
【００３３】
最大総体打撃壁厚みtmaxは、好ましくは４．２５ｍｍ以上、より好ましくは４．３０ｍｍから５．５０ｍｍの範囲内であり、最も好ましくは４．３０ｍｍから４．６０ｍｍの範囲内である。その他の形態では、又は上記に加えて、最小総体打撃壁厚みtminは、好ましくは３．０ｍｍ以下、より好ましくは２．７５以下、更に好ましくは２．５０ｍｍ以下であり、最も好ましくは２．１０ｍｍから２．５０ｍｍの範囲内である。その他の形態では、又は上記に加えて、比率tmax/ tminは、好ましくは２．２０以下及び・又は１．７０以上、より好ましくは１．７５以上、更に好ましくは１．８０以上である。これら厚み特性により最大反発係数（ＣＯＲ）と比較的高い反発係数（ＣＯＲ）を有する領域の平面寸法も同様に充分に増加することが確実となる。更に、これら選択数値により、ストレス集中の形成と関連するであろう壁厚みの大きな段差形成を避けられることが確実となる。
【００３４】
幾つかの実施の形態では、第二の点１０２、すなわち、最小総体打撃壁厚みtminに対応する位置は打撃面外周４２と一致する。あるいは、その他の実施の形態では、第二の点１０２は打撃面外周４２から離間する。そのような場合、第二の点１０２は、好ましくは距離ｄ2だけ打撃面外周４２から隔離する。ここで、距離ｄ2は、２．００インチ以下、より好ましくは１．５０インチ以下、更に好ましくは約０．０５インチから１．００インチの範囲内である。上述のように、最小厚みTminの位置を打撃面外周４２から離間させることで、打撃壁３０の径間に渡る反発係数（ＣＯＲ）の総体分布は効果的に操作可能である。例えば、いくつかの場合では、特定打撃面形状が影響し且つ部分的には米国ゴルフ協会規定を超える反発係数（ＣＯＲ）分布は、打撃面外周４２回りの打撃壁３０を厚くすることで（すなわち、面中心４０側内方に向かって最小厚みtminの位置の再配置を行うことで）米国ゴルフ協会規定に適合され得るであろう。利益的には、幾つかの場合において、打撃面外周４２近接の打撃面３２の部位を厚くすることで、結果的に打撃面３２の径間に渡って反発係数（ＣＯＲ）値が一般的には直接移動することとなる。そのため、打撃面３２の反発係数（ＣＯＲ）分布が適合化させることができ、他方、所望の相対反発係数（ＣＯＲ）分布の形状はそのままの状態で維持することができる。
【００３５】
打撃壁３０の後面３４の輪郭は一以上の厚み形状分布を参照してさらに説明される。例えば、図５Ａと図５Ｂでは、第一の厚み形状分布（すなわち、"水平"厚み形状分布）が示されており、この分布は横断面５−５（図３参照）で見るときの打撃壁３０に相当している。他の実施例では、図６Ａと図６Ｂでは、第二の厚み形状分布が下記に示されており、この分布は横断面６−６（図１参照）で見るときの打撃壁３０に相当している。
【００３６】
図５Ａと図５Ｂを参照すると、ゴルフクラブヘッド１０は横断面５−５で示されている。これらの図面に示されるゴルフクラブヘッド１０の横断形状は比較され得るものでもなくまた描画上の目的から誇張されていることは当業者であれば理解することができる。とりわけ、この横断面では、厚みは、後面の輪郭が全体的には正弦波経路に倣うように打撃壁３０に沿って変化している。打撃面３２は打撃面外周４２により範囲画定され、該打撃面外周４２間に延在する。具体的には、この平面において、打撃面３２は点４２（ａ）と４２（ｂ）により境界画定されている。点４２（ａ）及び４２（ｂ）は、トウ部２０及びヒール部１８のそれぞれに近接の横断面５−５と打撃面外周４２との間の各交差点に相当する。横断面５−５についての詳細では、点４２（ａ）と４２（ｂ）は距離Ｌhだけ離間している。距離Ｌhは、好ましくは３．５０インチから４．２５インチの範囲内であり、より好ましくは３．７５インチから４．０インチの間であり、更に好ましくは３．８０インチから３．９０インチの範囲内であり、最も好ましくは実質的に約３．８５インチに等しい。
【００３７】
横断面５−５についての詳細では、最大厚みｔmax,hは、面中心４０と一致する打撃壁３０の打撃面３２上の点に対応している。しかし、他の実施の形態では、上述のように、最大厚みｔmax,hは打撃面３２上の（横断面５−５での）点と対応しており、この点は前述の要領で距離ｄ１だけ面中心４０から離間している。横断面５−５についての詳細では、打撃壁３０は最小厚みｔmin,hを包含しており、この最小厚みｔmin,hは打撃面外周４２（ａ），４２（ｂ）のそれぞれに一致する打撃面３２上の各点に対応する。しかしながら、他の実施の形態では、最小厚みｔmin,hは、平面６６についての詳細において、前述の要領で距離ｄ2だけ打撃面外周４２（ａ）及び／又は４２（ｂ）から離間している。
【００３８】
最大厚みｔmax,hは、好ましくは４．２５ｍｍ以上、より好ましくは４．３０ｍｍから６．５０ｍｍの範囲以内、更に好ましくは４．３０ｍｍから５．５０ｍｍの範囲以内、最も好ましくは４．４０ｍｍから４．６０ｍｍの範囲以内である。その他の形態では、又は上記に加えて、最小厚みｔmin,hは、好ましくは３．０ｍｍ以下、より好ましくは２．７５ｍｍ以下、更に好ましくは２．５０ｍｍ以下である。その他の形態では、又は上記に加えて、比率ｔmax,h/ｔmin,hは、好ましくは２．３０以下、より好ましくは２．２０以下である。加えて、比率ｔmax,h/ｔmin,hは、好ましくは１．７０以上、より好ましくは１．７５以上、更に好ましくは１．８０以上である。充分に高い比率ｔmax,h/ｔmin,hを発揮するよう打撃壁３０を構成することで、クラブヘッド１０が高い反発係数（ＣＯＲ）を発揮することが可能となる。他方、上述のように、比率ｔmax,h/ｔmin,hを制限することで打撃壁３０に渡る反発係数（ＣＯＲ）のバラツキが最小限になる。
【００３９】
加えて、又はその他の形態では、横断面５−５についての詳細では、打撃壁３０は厚みｔ7を有している。この厚みｔ7は、０．９０*ｔfc以下の面中心４０から０．１６*Ｌｈ以下の距離だけ面中心４０から離間している、打撃面３２上の点と対応している。
【００４０】
上述のように、図５Ａ及び図５Ｂに示される平面６６では、打撃壁３０の後面３４の輪郭は全体的に正弦曲線に倣う。より詳細には、横断面５−５での厚み形状分布は、全体的に穏やかな勾配の外側領域、外側領域と外接する急上昇形の中間領域、及び中間領域と外接の穏やかな勾配の中央領域を含む。好ましくは、厚みは、面中心４０から外側に向けて徐々に薄くなる。詳細には、打撃壁３０の厚みはｔmax,hに対応する第一の位置からｔmin,hと対応する第二の位置に向かって徐々に薄くなる。より好ましくは、打撃壁３０の厚みは全体的に面中心４０から打撃面外周４２に向かって徐々に薄くなる。言い換えれば、好ましくは、断面５−５での厚み形状分布では、急な接点、角点、又は段差などは形成されていない。鋭角な接点や段差を避けることで、クラブ使用中において、ゴルフクラブヘッド１０がゴルフボールを打撃する時の高ストレスを生成する部位の存在を最小化している。ただし、他の実施の形態では、断面５−５での厚み形状分布において、一以上の段差又は鋭角接点が形成されてもよい。
【００４１】
より詳細には、下記の表１に断面５−５での代表的な厚み形状分布が示される。表１では、第一の列は、ヒールからトウに向かう方向での等増分で位置決めされた打撃面３２上のそれぞれの点に対応している。第二の列（"面中心からの距離（インチ）"）は、それぞれの位置又は点と面中心４０間のインチで測定した距離に対応する。面中心４０に相対して、正の値はヒール方向で測定した距離増分に相当し、負の値はトウ方向で測定した距離増分に相当している。
【００４２】
【表１】
2014144347.tif 000003
【００４３】
例#１と例#２それぞれにおける所与の各値は、表に列記の各位置についての打撃壁３０の厚さを表している。上記の厚さ分布は択一的な表記となり得るもので、ここで厚さは例えば、下記の表２に示すように、ｔmax,hの比率として正規化される。この手法で、所与のデータは打撃面における厚さ分布の改善をより明確に示しており、これら改善は高い反発係数（ＣＯＲ）と対応している打撃壁３０の部位の寸法を最大化するため、また打撃中での高ストレスを最小化するためのものである。
【００４４】
【表２】
2014144347.tif 000004
【００４５】
一以上の実施の形態では、図５Ａから図５Ｃに示される打撃面３２の厚さ分布は、それぞれの重複する複数の点分布領域で構成されると考えられ得るもので、各点分布領域は面中心４０からの特定最大距離回りに延在する。例えば、第一の点分布領域６８は、横断面５−５においてまた打撃面３２上において、０．９２*ｔmax,h以上の打撃壁３０の第一の厚みｔ1に対応するすべての点を意味する。図５Ｂに示すように、第一の点分布領域６８は、第一の終端点１１８と第二の終端点１２０の間を含む打撃面３２に沿うすべての点を包含する。好ましくは、第一の点分布領域６８は面中心４０から０．１３*Ｌh以下の最大距離ｄ3だけ伸長している。その他の形態では、又は上記に加えて、第一の終端点１１８と第二の終端点１２０は、１．００インチ以下、より好ましく０．６０インチから１．００インチの間の距離ｄ6だけ互に離間している。その他の形態では、又は上記に加えて、比率ｄ6/Ｌhは、０．２６以下、より好ましくは０．１５から０．２０の範囲以内である。これらの範囲で、打撃壁３０が、種々上記に説明したように、高ストレスを過度に生じることなくｔmin,hとｔmax,hの厚みに対し効果的に架橋することが可能となっている。
【００４６】
その他の形態では、又は上記に加えて、図５Ａから図５Ｃに示す厚み形状分布は横断面５−５において、全ての点を表示する打撃面３２の第二の点分布領域７０を画定しており、これら点は０．８７*ｔmax,h以上の打撃壁３０の厚みｔ2と対応している。図５Ｂに示す通り、第二の点分布領域７０は第三の終端点１１４と第四の終端点１１６の間を含む打撃面３２に沿うすべての点を包含する。好ましくは、第二の点分布領域７０はまた面中心４０から０．１３*Ｌｈ以下の最大距離ｄ4だけ伸長している。その他の形態では、又は上記に加えて、第三の終端点１１４と第四の終端点１１６は、１．００インチ以下、より好ましく０．６０インチから１．００インチの間の距離ｄ7だけ互に離間している。その他の形態では、又は上記に加えて、比率ｄ7/Ｌhは、０．２６以下、より好ましくは０．１５から０．２０の範囲以内である。これらの範囲で、打撃壁３０が、種々上記に説明したように、高ストレスを過度に生じることなくｔmin,hとｔmax,hの厚みに対し効果的に架橋することが可能となっている。
【００４７】
その他の形態では、又は上記に加えて、図５Ａから図５Ｃに示す厚み形状分布は、横断面５−５において、全ての点を表示する打撃面３２の第三の点分布領域７２を画定しており、これら点は０．８０*ｔmax,h以上の打撃壁３０の厚みｔ3と対応している。図５Ｂに示されるように、第三の点分布領域７２は、第五の終端点１１０と第六の終端点１１２の間を含む打撃面３２に沿うすべての点を包含する。また、好ましくは、第三の点分布領域７２は面中心４０から０．２６*Ｌh以下の最大距離ｄ5だけ伸長している。その他の形態では、又は上記に加えて、第五の終端点１１０と第六の終端点１１２は、１．４０インチ以下、より好ましく１．００インチから１．４０インチの間の距離ｄ8だけ互に離間している。その端携帯では、又は上記に加えて、比率ｄ8/Ｌhは、０，３７以下、より好ましくは０．２５から０．３７の範囲以内である。これらの範囲で、打撃壁３０が、種々上記に説明したように、高ストレスを過度に生じることなくｔmin,hとｔmax,hの厚みに対し効果的に架橋することが可能となっている。
【００４８】
加えて、又はその他の形態では、打撃壁３０は、面中心４０に対応する、４．２５ｍｍ以下の第一の厚みｔfcと、第二の厚みと、を有する。この第二の厚みは、０．９０*ｔfc以下の面中心４０から０．１６*Ｌh以下の距離だけ面中心４０から離間する打撃面３２上の点に対応する。少なくとも幾つかの上記手法でゴルフクラブヘッド１０の打撃面３２を構成することにより、結果として利益的な反発係数（ＣＯＲ）分布が得られる。
【００４９】
幾つかの実施の形態では、面中心４０で測定した第一のＣＯＲ値ＣＯＲ1は、面中心４０から離間した位置で測定した少なくとも第二のＣＯＲ値ＣＯＲ2よりは小さい。言い換えれば、反発係数（ＣＯＲ）は少なくとも断面５−５において、好ましくは面中心４０の外側で増加する。更に好ましくは、第二のＣＯＲ値ＣＯＲ2は面中心４０のヒール側位置に対応する。しかしながら、幾つかの実施の形態では、反発係数（ＣＯＲ）は、面中心４０のヒール側及びトウ側での位置において、面中心４０におけるものより大きい。
【００５０】
第一のＣＯＲ値ＣＯＲ1は、好ましくは、０．８３０より小さいが、好ましくは、０．８２５より大きく、更に好ましくは０．８２５から０．８２８の範囲内である。これらの値により、打撃面３２が一般的に面中心４０でゴルフボールを打撃した際には、ゴルフボールの最大飛距離が得られる。加えて、又はその他の形態では、面中心４０から離間した打撃面３２上の第二の位置で測定したＣＯＲ2は、好ましくはＣＯＲ1以上であり、更に好ましくはＣＯＲ1より大きい。更に好ましくは、第二の位置は面中心４０から０．１５インチ以上の距離だけ離間し、ＣＯＲ2は０．００２以上の値だけＣＯＲ1より大きい。更に好ましくは、ＣＯＲ2は０．００４以上の値だけＣＯＲ1より大きく、０．１７５インチから０．２２５インチの間の距離だけ面中心４０から離間した第二の位置で測定される。加えて、又はその他の形態では、ＣＯＲ2が測定される位置に対応する打撃壁の厚さは４．０ｍｍ以下である。幾つかの実施の形態では、断面５−５において、ＣＯＲ1は局所最小ＣＯＲ値に相当する。加えて、又はその他の形態では、ＣＯＲ2の位置は、１２．７ｍｍ以下の距離だけ面中心４０から離間する。上記の構成により、クラブヘッド１０のパーフォマンスは上昇し、かつ米国ゴルフ協会の規定に依然適合するもので、また失敗（例えば、２００ｋｓｉ）を引き起こさないであろうレベルで打撃壁全体を通してストレスが維持される。
【００５１】
最近では、各種の理由により、米国ゴルフ協会は、反発係数（ＣＯＲ）に替えて、ゴルフクラブヘッドの打撃面の柔軟性を定量化する手段を特性時間（ＣＴ）に転向した。クラブヘッドの特性時間（ＣＴ）を決定する方法は、例えば、ゴルフクラブヘッドの柔軟性を測定するための米国ゴルフ協会手続き書改訂版１．０．０（２００８年５月１日）に記載されている。ＣＯＲもＣＴも全ての場合において類似の測定方法ではないが、此処において全ての実践目的上、いかなる記載のＣＯＲ値又はＣＯＲの変更値は下記の数式に従ってＣＴ値又はＣＴの変更値に相当する。
【００５２】
【数１】
2014144347.tif 000005
【００５３】
上述のように、有意な利点は、クラブヘッド１０の打撃面３２を、断面５−５について図示および説明されるように厚み形状分布を有するよう構成することで実現される。具体的には、高ストレス領域を生成することなく比較的高い厚み勾配が実現し得るもので、これはアクセントを付けたベルカーブに倣うよう厚み形状分布を構成することで達成される。より具体的には、打撃面３２の厚みを打撃面３２の後面３４が正弦波経路に倣うように構成することで、高ストレス領域は最小化され得るもので、ここでは厚みは全体的には中央位置から外側位置に向かって徐々に薄くなっている。
【００５４】
好ましくは、横断面５−５について種々説明しているように、打撃壁３０の厚み形状分布は、打撃壁３０において、仮想打撃平面６４に対し鉛直であり面中心４０を通過する他の各仮想横断面で与えられる。例えば、図１を参照すると、横断面６−６は地上面３６に相対して垂直であり、面中心４０を通過している。この横断面６−６でのゴルフクラブヘッド１０は図６Ａに示されている。
【００５５】
図６Ａを参照すると、ゴルフクラブヘッド１０は打撃壁３０を含み、打撃壁３０は、打撃面３２と該打撃壁３０に対向する後面３４とを含む。打撃面３２は従来のロール状半径（例えば、約９インチから約１５インチの範囲内の半径)を含む。打撃面３２は上述の面中心４０を含み、打撃面外周４２で終端する。仮想打撃平面６４は面中心４０に対し接している。打撃面外周４２は、横断平面６−６と交差しており、トップ部１４に近接の第一の点４２（ｃ）と、底部１６に近接の第二の点４２（ｄ）とを形成する。
【００５６】
図６Ａから図６Ｃでは、ゴルフクラブヘッド１０が、横断平面６−６、すなわち面中心４０を通る垂直横断面で示されている。これらの図に示されるクラブヘッドの厚み形状分布は、比較され得るものでもなく、また、描画上の目的から誇張されていることは当業者であれば理解することができる。とりわけこの横断面では、厚みは、後面の輪郭が全体的には正弦波経路に倣うように打撃壁３０に沿って変化している。
【００５７】
特に図６Ｂを参照すると、打撃面外周点４２(ｃ)及び４２（ｄ）は距離ＬVだけ離間している。距離ＬVは、好ましくは２．００インチと３．００インチの範囲内、より好ましくは２．２５インチと２．７５インチの間であり、更に好ましくは２．４０インチから２．５０インチの範囲内であり、最も好ましくは約２．４５インチに等しい。
【００５８】
図６Ｂを参照すると、横断面６−６についての詳細では、最大厚みｔmax,vは、面中心４０に一致する、打撃壁３０の打撃面３２上の点に対応している。しかし、他の実施の形態では、上述のように、最大厚みｔmax,vは、打撃面３２上の（横断面６−６での）点であって、量的に距離ｄ1に類似する距離だけ面中心４０から離間している点に対応してもよい。横断面６−６についての詳細では、打撃壁３０は最小厚みｔmin,vを包含しており、この最小厚みｔmin、vは、打撃面外周４２（ｃ），４２（ｄ）それぞれに一致する打撃面３２上の各点と対応する。しかし、他の実施の形態では、最小厚みｔmin,vは、種々説明したように、距離ｄ2と類似の距離だけ打撃面外周４２（ｃ）及び／又は４２（ｄ）から離間している。
【００５９】
最大厚みｔmax,vは、好ましくは４．２０ｍｍ以上、より好ましくは４．２５ｍｍ以上、より好ましくは４．３５ｍｍから５．００ｍｍの範囲以内、最も好ましくは４．３０ｍｍから４．６０ｍｍの範囲以内である。他の実施形態では、又は上記に加えて、最小厚みｔmin,vは、好ましくは２．８５ｍｍ以下、より好ましくは２．７５ｍｍ以下、更に好ましくは２．５０ｍｍ以下、最も好ましくは、２．４０ｍｍから２．７０ｍｍの範囲内である。他の実施形態では、又は上記に加えて、比率ｔmax,v/ｔmin,vは、好ましくは２．３０以下、より好ましくは２．２０以下である。加えて、又は他の実施形態では、比率ｔmax,v/ｔmin,vは、好ましくは１．７０以上、より好ましくは１．７５以上、更に好ましくは１．７５から２．２０の範囲内であり、最も好ましくは１．７５から２．０の範囲内である。充分に高い比率ｔmax,v/ｔmin,vを発揮するよう打撃壁３０を構成することで、クラブヘッド１０が高い反発係数（ＣＯＲ）を発揮することが可能となる。しかし、上述のように、比率ｔmax,v/ｔmin,vを制限することで打撃壁３０に渡る反発係数（ＣＯＲ）のバラツキが最小限になる。
【００６０】
上述のように、図６Ａと図６Ｂに示される横断面６−６では、打撃壁３０の後面３４の輪郭は全体的に正弦曲線に倣う。より詳細には、横断面６−６での厚み形状分布は、全体的に穏やかな勾配の外側領域、急上昇形の中間領域、及び穏やかな勾配の中央領域を含む。好ましくは、厚みは、面中心４０の外側に向けて除所に薄くなる。言い換えれば、好ましくは、断面６−６での厚み形状分布では、急な接点、角点、又は段差などは形成されていない。鋭角な接点や段差を避けることで、クラブ使用中において、ゴルフクラブヘッド１０がゴルフボールを打撃する時の高ストレスを生成する部位の寸法を最小化している。そうではあるが、他の実施の形態では、断面６−６での厚み形状分布において、一以上の段差又は鋭角接点が形成されてもよい。
【００６１】
より詳細には、下記の表３に断面６−６での典型的な厚み形状分布が示される。表３では、第一の列は、底部からトップ部に向かう方向での等増分で位置決めされた打撃面３２上のそれぞれの点に対応している。第二の列（"面中心からの距離（インチ）"）は、それぞれの位置又は点と面中心４０間のインチで測定した距離に対応している。正の値は面中心４０の上方で測定した距離増分に相当し、負の値は面中心４０の下方で測定した距離増分に相当している。
【００６２】
【表３】
2014144347.tif 000006
【００６３】
例#１と例#２のそれぞれにおける所与の各値は、表に列記の各位置についての打撃壁３０の厚さを表している。上記の厚さ分布は選択的な表記となり得るもので、ここで厚さは例えば、下記の表４に示すように、ｔmax,vの比率として正規化される。この手法では、所与のデータはより明確に打撃面における厚さ分布の改善を示しており、これら改善は比較的高い反発係数（ＣＯＲ）を有する部位の寸法を最大化するため、また打撃中での高ストレスの部位を最小化するためのものである。
【００６４】
【表４】
2014144347.tif 000007
【００６５】
加えて、又はその他の形態では、上述の横断面上の厚み形状分布について、図６Ａから図６Ｃに示される打撃面３２の厚さ分布は、それぞれの重複する複数の点分布領域で構成され、各点分布領域は面中心４０からの特定最大距離回りに延在する。例えば、第四の点分布領域１３４は、横断面６−６においてまた打撃面３２上において、０．９２*ｔmax,v以上の打撃壁３０の第四の厚みｔ4に対応するすべての点を意味する。図６Ｂに示すように、第四の点分布領域１３４は、第九の終端点１２６と第十の終端点１２８の間を含む打撃面３２に沿うすべての点を包含する。好ましくは、第四の点分布領域１３４は面中心４０から０．１３*Ｌv以下の最大距離ｄ9だけ伸長している。その他の形態では、又は上記に加えて、第九の終端点１２６及び第十の終端点１２８は、１．００インチ以下、より好ましく０．６０インチから１．００インチの間の距離ｄ12だけ互に離間している。その他の形態では、又は上記に加えて、比率ｄ12/Ｌhは、０．２６以下、より好ましくは０．１５から０．２０の範囲以内である。これらの範囲で、打撃壁が、種々上記に説明したように、高ストレスを過度に生じることなくｔmin,vとｔmax,vの厚みに対し効果的に架橋することが可能となっている。
【００６６】
その他の形態では、又は上記に加えて、図６Ａから図６Ｃに示す厚み形状分布は、横断面６−６において、全ての点を表示する打撃面３２の第五の点分布領域１３６を画定しており、これら点は０．８７*ｔmax,v以上の打撃壁３０の厚みｔ5に対応している。図６Ｂに示す通り、第五の点分布領域１３６は、第八の終端点１２４と第十一の終端点１３０との間に含まれる打撃面３２に沿うすべての点を包含する。また、好ましくは、第五の点分布領域１３６は、面中心４０から０．１３*Ｌv以下の最大距離ｄ10だけ伸長している。その他の形態では、又は上記に加えて、第八の終端点１２４及び第十一の終端点１３０は、１．００インチ以下、より好ましく０．６０インチから１．００インチの間の距離ｄ13だけ互に離間している。その他の形態では、又は上記に加えて、比率ｄ13/Ｌvは、０．４０以下、より好ましくは０．２０から０．３５の範囲以内である。これらの範囲で、打撃壁が、種々上記に説明したように、高ストレスを過度に生じることなくｔmin,vとｔmax,vの厚みに対し効果的に架橋することが可能となっている。
【００６７】
その他の形態では、又は上記に加えて、図６Ａから図６Ｃに示す厚み形状分布は、横断面６−６において、全ての点を表示する打撃面３２の第六の点分布領域１３８を画定しており、これら点は０．８０*ｔmax,v以上の打撃壁３０の厚みｔ6と対応している。図６Ｂに示す通り、第六の点分布領域１３８は、第七の終端点１２２と第十二の終端点１３２との間に含まれる打撃面３２に沿うすべての点を包含する。また、好ましくは、第六の点分布領域１３８は、面中心４０から０．２６*Ｌv以下の最大距離ｄ11だけ伸長している。その他の形態では、又は上記に加えて、第七の終端点１２２及び第十二の終端点１３２は、１．２０インチ以下、より好ましく０．６０インチから１．００インチの間の距離ｄ１４だけ互に離間している。その他の形態では、又は上記に加えて、比率ｄ14/Ｌvは、０，３７以下、より好ましくは０．２５から０．３７の範囲以内である。これらの範囲で、打撃壁が、種々上記に説明したように、高ストレスを過度に生じることなくｔmin,vとｔmax,vの厚みに対し効果的に架橋することが可能となっている。
【００６８】
幾つかの実施の形態では、好ましくは、図５Ａから図５Ｃに示される横断面５−５について様々に特徴づけられるように、厚み形状分布は他の各仮想横断面で与えられるもので、これら仮想横断面は、打撃平面６４に対し鉛直であり、面中心４０を通過している。例えば、図５Ｃの点分布領域の存在と寸法は、横断面６−６に加えて、好ましくは仮想横断面で与えられる。好ましくは、横断面５−５で様々に説明される点分布領域６８、７０、７２の特徴によって、打撃平面６４に対し鉛直であり、面中心４０を通過する全ての横断面のほとんどが形成されている。より好ましくは、打撃平面６４に対し鉛直であり、面中心４０を通過する全ての仮想横断面は、図５Ｃの厚み形状分布について記載の点分布寸法範囲内に収まっている。
【００６９】
一以上の実施の形態では、図７に示されるように、他の打撃壁２３２は非均一な厚みを有して形成されている。打撃壁２３２は、横断面５−５を介して示される。ここで、後面２３４の輪郭は、面中心２４０に近接の中央部位２７８でアクセントの付いたベルカーブを形成している。また、後面２３４の輪郭は、中央部位２７８の外側であってトウ部２２０に近接の第一のフレアー部２７６（ａ）と、中央部位２７８の外側であってヒール部２１８に近接の第二のフレアー部２７６（ｂ）とを包含する。好ましくは、図７に示すクラブヘッド２１０の打撃壁２３０は複数の点分布領域を含むものであって、これらの点分布領域は、図５Ａに示す打撃壁３０について記述した第一、第二、第三の点分布領域６８、７０、７２と類似の寸法に形成される。しかしながら、図７に示すクラブヘッド２１０では、平面５−５での最小打撃面厚みＴmin,hに対応する点２８０は、横断面５−５での打撃面外周２４２（ａ）、２４２（ｂ）から実質的に離間している。好ましくは、（Ｔmin,hに対応する）点２８０，２８２のいずれかと打撃面外周２４２（ａ）、２４２（ｂ）との最小距離は、０．２０インチ以上、より好ましくは２．０インチ以下、更に好ましくは０．４０インチから１．５０インチの範囲内、最も好ましくは０．４０インチから１．００インチの範囲内である。
【００７０】
上述のように、最小厚みtmin、hの位置を打撃面外周２４２から離間させることで、打撃壁２３０の径間に渡る反発係数（ＣＯＲ）の総体分布は効果的に操作可能である。例えば、いくつかの場合では、特定打撃面形状が影響し且つ少なくとも部分的には米国ゴルフ協会規定を超える反発係数（ＣＯＲ）分布は、打撃面外周２４２回りの打撃壁２３０を厚くすることで（すなわち、面中心４０側内方に向かって最小厚みtmin、hの位置の再配置を行うことで）米国ゴルフ協会規定に適合させることが可能である。利益的には、幾つかの場合において、打撃面外周２４２に近接する打撃面２３２の部位を厚くすることで、結果的に打撃面２３２の径間に渡って反発係数（ＣＯＲ）値が一般的には直接移動することとなる。それゆえ、打撃面２３２の反発係数（ＣＯＲ）分布が適合化され得るものであり、他方所望の相対反発係数（ＣＯＲ）分布の形状はそのままの状態で維持することが可能である。
【００７１】
加えて、またはその他の形態では、横断面５−５において、クラブヘッド２１０の打撃壁２３０の中央部位２７８は、下記の表５に示すそれぞれの位置に対応する厚みを有する。負の距離値はトウ方向で測定した距離を、正の距離値はヒル方向で測定した距離を表示する。
【００７２】
【表５】
2014144347.tif 000008
【００７３】
本開示は本発明の代表的な各実施の形態を提供する。本発明の範囲はこれら代表的な実施の形態により限定されない。多数の変更、例えば、構造上の変更、寸法的な変更、材料種類の変更、製造工程の変更などは、明示的にまたは暗示的に明細書で提示されようと、本開示に鑑みて当業者によって実施され得るものである。
【符号の説明】
【００７４】
１０…ゴルフクラブヘッド、１２…本体部、
３０…打撃壁、３２…打撃面、４０…面中心、４２…打撃面外周、
６４…仮想打撃平面
【図１】
2014144347.tif 000009
【図２】
2014144347.tif 000010
【図３】
2014144347.tif 000011
【図４】
2014144347.tif 000012
【図５Ａ】
2014144347.tif 000013
【図５Ｂ】
2014144347.tif 000014
【図５Ｃ】
2014144347.tif 000015
【図６Ａ】
2014144347.tif 000016
【図６Ｂ】
2014144347.tif 000017
【図６Ｃ】
2014144347.tif 000018
【図７】
2014144347.tif 000019